(57)【要約】【課題】乗りかごに荷重センサを設ける回路構成のみで、乗りかごに利用者と不審者が乗り合わせた際の密室化状態を防いで犯罪の発生を未然に防止する防犯システムを提供する。【解決手段】乗りかご１には、暗証番号を入力するテンキーユニット９、行先階を指定操作する行先階ボタン７、乗りかご１に加わる荷重を検出する荷重センサ１２が設けられている。乗りかご１に乗った利用者は暗証番号を入力し、行先階ボタン７を操作する。このとき、乗りかご１内に他者（不審者）が乗り込むと、その荷重が荷重センサ１２により検出され、荷重変動検出部２４で荷重変動ありと判断され、その信号で行先階登録部２１に登録されている行先階の登録が解除される。この解除により、行先階ボタン７の操作に拘わらず乗りかご１のドア装置が閉じず、乗りかご１が運転待機状態を維持し、乗りかご１が密室化状態とることが防止される。【選択図】    図２
2009208900.tif 000002
【特許請求の範囲】
【請求項１】
乗りかごに設けられた、暗証情報を入力するための暗証情報入力手段、および乗りかごの行先階を指定操作するための行先階指定手段、ならびに乗りかごに人が乗った際の乗りかごに加わる荷重を検出する荷重検出手段と、
所定の暗証情報が登録されている情報記憶手段と、
前記行先階指定手段で指定された行先階を登録する行先階登録手段と、
乗りかごに乗った人が前記暗証情報入力手段および前記行先階指定手段を操作した際に、前記暗証情報入力手段に入力された暗証情報を前記情報記憶手段の暗証情報と照合し、その照合が一致するときに前記行先階指定手段に対する操作による行先階を前記行先階登録手段に登録する情報照合手段と、
前記行先階登録手段に行先階が登録されたときにおいて、前記荷重検出手段による出力信号で乗りかごに加わる荷重の変動の有無を検出し、変動があるときに前記行先階登録手段に登録されている行先階の登録を解除する荷重変動検出手段と、
前記行先階登録手段での行先階の登録が所定時間維持されているときに前記乗りかごを行先階に向けて運転制御する運転制御手段と、
を具備することを特徴とするエレベータの防犯システム。
【請求項２】
乗りかごに設けられた、暗証情報を入力するための暗証情報入力手段、および乗りかごの行先階を指定操作するための行先階指定手段、ならびに乗りかごに人が乗った際の乗りかごに加わる荷重を検出する荷重検出手段と、
所定のエレベータ利用者の暗証情報およびそのエレベータ利用者ごとの体重のデータが登録されている情報記憶手段と、
前記行先階指定手段で指定された行先階を登録する行先階登録手段と、
乗りかごに乗った人が前記暗証情報入力手段および前記行先階指定手段を操作した際に、前記暗証情報入力手段に入力された暗証情報および前記荷重検出手段が検出した荷重データを前記情報記憶手段に登録されている暗証情報および体重データと照合し、その照合が一致するときに前記行先階指定手段に対する操作による行先階を前記行先階登録手段に登録する情報照合手段と、
前記行先階登録手段に行先階が登録されたときにおいて、前記荷重検出手段が検出する荷重データが前記情報記憶手段に登録されている前記体重データと照合し、その照合が一致しないときに前記行先階登録手段に登録されている行先階の登録を解除する荷重変動検出手段と、
前記行先階登録手段での行先階の登録が所定時間維持されているときに前記乗りかごを行先階に向けて運転制御する運転制御手段と、
を具備することを特徴とするエレベータの防犯システム。
【請求項３】
請求項１に記載のエレベータの防犯システムにおいて、
乗りかごの内部を撮影することが可能な監視カメラ、および前記荷重検出手段による出力信号で乗りかごに加わる荷重の変動が有ると判断され、荷重変動検出手段により前記行先階登録手段に登録されている行先階の登録が解除された際にその信号をエレベータの管理センターに送信することが可能な通報手段を備えることを特徴とする防犯システム。
【請求項４】
請求項２に記載のエレベータの防犯システムにおいて、
乗りかごの内部を撮影することが可能な監視カメラ、および前記荷重検出手段が検出する荷重データが前記情報記憶手段に登録されている前記体重データと照合され、その照合が一致せずに前記行先階登録手段に登録されている行先階の登録が解除された際にその信号をエレベータの管理センターに送信することが可能な通報手段を備えることを特徴とする防犯システム。
【発明の詳細な説明】
【技術分野】
【０００１】
この発明は、マンションなどの建物に設置されているエレベータの防犯システムに係り、特にエレベータ利用者が一人で乗りかごに乗り込んで目的の行先階まで移動しようとする寸前に不審者がその乗りかごに乗り込み、密室状態の乗りかご内で犯罪が行なわれるような危険を回避するための防犯システムに関する。
【背景技術】
【０００２】
マンションなどの建物では、特に深夜に帰宅する住人が一人でエレベータの乗りかごに乗り、かご内操作盤の行先階ボタンを操作し、乗りかごを行先階に移動させようとする直前に不審者が乗りかごに乗り込み、そのままドアが閉じて乗りかごが移動するようなことがある。この場合、乗りかごは密室状態となり、その不審者による犯罪が発生する恐れがある。
【０００３】
そこで、特開２００５−２６３３６３公報に見られるように、建物のエレベータ乗り場の床部および乗りかごの床部にそれぞれ荷重センサを設け、エレベータ乗り場で乗りかごの到着を待つ利用者の荷重値を乗り場用の荷重センサで検出して事前登録し、乗りかごが到着して利用者が乗り込んだときの荷重値をかご用の荷重センサで検出し、その荷重値と事前登録の荷重値とを比較してその値がほぼ一致するときにのみ、乗りかごのドアを閉じ、乗りかごの移動を許容するようにした防犯システムが提案されている。この防犯システムによれば、荷重値に関する事前登録のない不審者が乗りかごに乗り込んでも、乗りかごのドアが閉じず、密室状態となることがないから、犯罪の発生を未然に防ぐ上で効果がある。
【特許文献１】特開２００５−２６３３６３公報
【発明の開示】
【発明が解決しようとする課題】
【０００４】
しかしながら、このような防犯システムでは、乗りかごの床部と建物の各階のエレベータ乗り場にそれぞれ荷重センサを設けなければならず、荷重センサの使用数が増し、コストが嵩んでしまう。特に、高層階や超高層階の建物では、より多くの荷重センサが必要となり、益々費用が嵩み、またシステムを構成する制御回路の構造も複雑となってしまう。
【０００５】
この発明はこのような点に着目してなされたもので、その目的とするところは、建物の各階のエレベータ乗り場に荷重センサを設けることなく、乗りかごに荷重センサを設ける回路構成のみで、乗りかごに利用者と不審者が乗り合わせた際の密室化状態を防いで犯罪の発生を未然に防止することができるエレベータの防犯システムを提供することにある。
【課題を解決するための手段】
【０００６】
請求項１の発明は、乗りかごに設けられた、暗証情報を入力するための暗証情報入力手段、および乗りかごの行先階を指定操作するための行先階指定手段、ならびに乗りかごに人が乗った際の乗りかごに加わる荷重を検出する荷重検出手段と、所定の暗証情報が登録されている情報記憶手段と、前記行先階指定手段で指定された行先階を登録する行先階登録手段と、乗りかごに乗った人が前記暗証情報入力手段および前記行先階指定手段を操作した際に、前記暗証情報入力手段に入力された暗証情報を前記情報記憶手段の暗証情報と照合し、その照合が一致するときに前記行先階指定手段に対する操作による行先階を前記行先階登録手段に登録する情報照合手段と、前記行先階登録手段に行先階が登録されたときにおいて、前記荷重検出手段による出力信号で乗りかごに加わる荷重の変動の有無を検出し、変動があるときに前記行先階登録手段に登録されている行先階の登録を解除する荷重変動検出手段と、前記行先階登録手段での行先階の登録が所定時間維持されているときに前記乗りかごを行先階に向けて運転制御する運転制御手段とを具備することを特徴としている。
【０００７】
請求項２の発明は、乗りかごに設けられた、暗証情報を入力するための暗証情報入力手段、および乗りかごの行先階を指定操作するための行先階指定手段、ならびに乗りかごに人が乗った際の乗りかごに加わる荷重を検出する荷重検出手段と、所定のエレベータ利用者の暗証情報およびそのエレベータ利用者ごとの体重のデータが登録されている情報記憶手段と、前記行先階指定手段で指定された行先階を登録する行先階登録手段と、乗りかごに乗った人が前記暗証情報入力手段および前記行先階指定手段を操作した際に、前記暗証情報入力手段に入力された暗証情報および前記荷重検出手段が検出した荷重データを前記情報記憶手段に登録されている暗証情報および体重データと照合し、その照合が一致するときに前記行先階指定手段に対する操作による行先階を前記行先階登録手段に登録する情報照合手段と、前記行先階登録手段に行先階が登録されたときにおいて、前記荷重検出手段が検出する荷重データが前記情報記憶手段に登録されている前記体重データと照合し、その照合が一致しないときに前記行先階登録手段に登録されている行先階の登録を解除する荷重変動検出手段と、前記行先階登録手段での行先階の登録が所定時間維持されているときに前記乗りかごを行先階に向けて運転制御する運転制御手段とを具備することを特徴としている。
【０００８】
請求項３の発明は、請求項１に記載のエレベータの防犯システムにおいて、乗りかごの内部を撮影することが可能な監視カメラ、および前記荷重検出手段による出力信号で乗りかごに加わる荷重の変動が有ると判断され、荷重変動検出手段により前記行先階登録手段に登録されている行先階の登録が解除された際にその信号をエレベータの管理センターに送信することが可能な通報手段を備えることを特徴としている。
【０００９】
請求項４の発明は、請求項２に記載のエレベータの防犯システムにおいて、乗りかごの内部を撮影することが可能な監視カメラ、および前記荷重検出手段が検出する荷重データが前記情報記憶手段に登録されている前記体重データと照合され、その照合が一致せずに前記行先階登録手段に登録されている行先階の登録が解除された際にその信号をエレベータの管理センターに送信することが可能な通報手段を備えることを特徴としている。
【発明の効果】
【００１０】
この発明によれば、建物の各階のエレベータ乗り場に荷重センサを設けることなく、乗りかごに荷重センサを設ける回路構成のみで、乗りかごに利用者と不審者が乗り合わせた際の密室化状態を防いで犯罪の発生を未然に防止することができる。
【発明を実施するための最良の形態】
【００１１】
以下、この発明の実施の形態について図面を参照して説明する。
【００１２】
図１ないし図３にはこの発明の第１の実施形態を示してある。図１には集合住宅としてのマンションに設置されたエレベータの乗りかご１の内部構造を示してあり、この乗りかご１は前面に出入口２を有し、この出入口２にドア装置３が設けられている。ドア装置３は、例えば一対のドアパネル３ａ,３ｂを備え、これらドアパネル３ａ,３ｂが左右に移動することで出入口２が開閉される両開き式構造となっている。
【００１３】
乗りかご１の内部には、出入口２の側方部において操作盤６が設けられ、この操作盤６に行先階を指定する押しボタンスイッチ式の複数の行先階ボタン７や、乗りかご１の移動の向きや階床位置を表示する位置表示パネル８などが設けられている。さらに操作盤６の下方部には、マンションの住人のみが知り得る固有の暗証情報、例えば暗証番号を入力するためのテンキーユニット９が設けられている。  
乗りかご１の床部には荷重センサ１２が設けられている。この荷重センサ１２は、乗りかご１内に人が乗った際の乗りかご１に加わる荷重（体重）を検出する。
【００１４】
図２には制御回路の構成を示してあり、この制御回路は乗りかご１に設けられた行先階ボタン７、テンキーユニット９、荷重センサ１２およびエレベータ制御装置２０を備えている。エレベータ制御装置２０は、エレベータ全体の運転制御を行なうコンピュータであり、行先階登録部２１、情報照合部２２、情報記憶部２３、荷重変動検出部２４、運転制御部２５を備えている。
【００１５】
行先階登録部２１は、情報照合部２２の出力信号に基づいて、行先階ボタン７の操作で指定された行先階の登録を行なう。情報記憶部２３にはマンションの住人のみが知り得る固有の暗証番号のデータが登録されている。情報照合部２２はテンキーユニット９で入力された暗証番号を情報記憶部２３に登録されている暗証番号と照合してその一致、不一致を判断する。荷重変動検出部２４は、荷重センサ１２によって検出される荷重値に基づいて乗りかご１に加わる荷重の変動を検出する。運転制御部２５は、マイクロプロセッサからなり、行先階登録部２１に登録された行先階信号に基づいて乗りかご１のドア装置３の開閉制御および乗りかご１の運転制御を行なう。
【００１６】
次に、この防犯システムの動作の流れについて、図３に示すフローチャートを参照して説明する。  
いま、例えばマンションの住人Ａが深夜に一人で帰宅し、マンションの玄関ホールから乗りかご１に乗ったとする。この際、住人Ａは、まずテンキーユニット９を操作して暗証番号を入力し（Ｓ１）、引き続き行先階ボタン７を操作して行先階を指定する（Ｓ２）。
【００１７】
暗証番号の入力信号はエレベータ制御装置２０の情報照合部２２に送られ、この情報照合部２２において、予め登録されている暗証番号データと照合され、その入力された暗証番号と登録されている暗証番号データとが一致するか否かが判断され（Ｓ３）、一致であれば行先階ボタン７の操作による前記行先階が行先階登録部２１に登録される（Ｓ４）。
【００１８】
住人Ａが行先階ボタン７を操作して行先階を指定したときには、その時点で乗りかご１に加わる荷重の変動の有無が荷重変動検出部２４により判断される（Ｓ５）。もし、住人Ａが行先階を指定するために行先階ボタン７を操作しているときに、乗りかご１に他者（不審者）が乗り込んできたときには、その他者の体重（荷重）が荷重センサ１２により検出され、この検出の信号が荷重変動検出部２４に送られ、荷重変動有りと判断される。そして荷重変動があるときには、その信号で行先階登録部２１における行先階の登録が解除され（Ｓ６）、乗りかご１はドア装置３を開いたまま運転待機状態を維持する（Ｓ７）。
【００１９】
すなわち、乗りかご１内に住人Ａと他者が乗り合わせたときには、ドア装置３が閉じることも、乗りかご１が運転されることもない。つまり乗りかご１が密室状態となることがなく、したがって犯罪の発生を未然に防止することができる。
【００２０】
Ｓ３において、入力された暗証番号と登録されている暗証番号データとが不一致であると判断された場合、すなわち例えば乗りかご１に住人Ａが乗り込むのとほぼ同時に他者（不審者）が乗りかご１に乗り込み、その他者がテンキーユニット９を操作して不正当な暗証番号を入力したような場合には、行先階ボタン７を操作しても行先階登録部２１に行先階が登録されず（Ｓ８）、そのままＳ７に進む。
【００２１】
したがってこの場合においても、乗りかご１内に住人Ａと他者が乗り合わせてはいるが、乗りかご１のドア装置３が閉じたり、乗りかご１が運転されたりすることがなく、犯罪の発生を未然に防止することができる。
【００２２】
Ｓ５において、乗りかご１に加わる荷重の変動がない、つまり他者の乗り込みがないと判断されたときには、行先階登録部２１における行先階登録が維持される（Ｓ９）。そして一定時間（例えば２秒間）が経過したときに（Ｓ１０）、行先階登録部２１から運転制御部２５に運転指令の信号が送られ、この信号に基づき、運転制御部２５による制御で乗りかご１のドア装置３が閉じ、乗りかご１が登録された行先階に向って移動する（Ｓ１１）。そして乗りかご１が行先階に到着した際に乗りかご１が停止し、ドア装置３が開き（Ｓ１２）、住人Ａが乗りかご１から降りる。
【００２３】
このように、乗りかご１に正当な住人が乗ったときにだけ、乗りかご１がその住人が指定した行先階に移動し、他者（不審者）が住人と共に乗り込んだときには乗りかご１が停止状態を維持し、ドア装置３も閉じず、したがって密室状態とならず、犯罪の発生を未然に防止することができる。
【００２４】
なお、乗りかご１に正当な住人が複数人同時に乗ったときには、図３におけるＳ５で荷重変動なしと判断されるから、各住人の行先階の登録が維持され、乗りかご１がその登録された行先階に向って移動する。
【００２５】
この実施形態によれば、荷重センサ１２を乗りかご１に設けるだけで、建物の各階のエレベータ乗り場に荷重センサを設けるような必要がなく、したがって構成が簡単で、コストを軽減でき、特に高層階や超高層階の建物のエレベータに適用する場合に有利となる。
【００２６】
図４および図５には第２の実施形態を示してある。なお、前記第１の実施形態と同一の構成部分には同一の符号を付して重複する説明を省略する。この第２の実施形態においては、マンションの各住人にエレベータを利用する暗証情報としてそれぞれ異なる暗証番号が割り当てられている。そして、図４に示すように、エレベータ制御装置２０の情報記憶部２３に各住人の暗証番号データが登録されていると共に、さらにその各住人の体重に関する荷重値データが各住人の暗証番号データと関連付けて登録されている。
【００２７】
この実施形態における動作の流れについて、図５に示すフローチャートを参照して説明する。  
マンションの住人Ａが玄関ホールから乗りかご１に乗ったときに、テンキーユニット９を操作してその住人Ａのみが知っている固有の暗証番号を入力し（Ｓ１）、引き続き行先階ボタン７を操作して行先階を指定する（Ｓ２）。Ｓ１で入力した暗証番号の信号は情報照合部２２に送られる。
【００２８】
乗りかご１に乗った住人Ａの体重は荷重センサ１２により検出され（Ｓ３）、その荷重値の信号が情報照合部２２に送られる。そして、情報照合部２２において、入力された暗証番号および荷重センサ１２で検出された荷重値と、情報記憶部２３に記憶されている暗証番号データおよび荷重値データとが照合され、それが一致するか否かが判断され（Ｓ４）、一致すれば行先階ボタン７の操作による前記行先階が行先階登録部２１に登録される（Ｓ５）。なお、荷重センサ１２で検出された荷重値と情報記憶部２３に登録されている荷重値データとの比較照合は、住人Ａの衣服を含む体重はその都度若干変わるから、荷重センサ１２で検出された荷重値が情報記憶部２３に登録されている荷重値データの例えば±１０％の範囲内であればその誤差は無視して荷重値が一致していると判断する。
【００２９】
ところで、住人Ａが行先階ボタン７を操作し、Ｓ４で暗証番号および荷重値が一致すると判断され、Ｓ５で行先階が登録されたときに、乗りかご１に咄嗟に他者（不審者）が乗り込んだような場合には、その他者の体重（荷重）と住人Ａの体重（荷重）が荷重センサ１２により検出され、この検出の信号が荷重変動検出部２４に送られ、情報記憶部２３に登録されている住人Ａの体重に関する荷重値データと比較照合される（Ｓ６）。この場合には、荷重センサ１２で検出された荷重値が、登録されている住人Ａの体重に関する荷重値データと大きく異なるから比較照合は不一致となり、その信号で行先階登録部２１における行先階の前記登録が解除され（Ｓ７）、乗りかご１はドア装置３を開いたまま運転待機状態を維持する（Ｓ８）。
【００３０】
すなわち、乗りかご１内に住人Ａと他者が乗り合わせたときには、ドア装置３が閉じることも、乗りかご１が運転されることもない。つまり乗りかご１が密室状態となることがなく、したがって犯罪の発生を未然に防止することができる。
【００３１】
Ｓ４における照合が不一致であると判断された場合、すなわち例えば乗りかご１に住人Ａが乗り込むのとほぼ同時に他者（不審者）が乗りかご１に乗り込んだような場合には、行先階ボタン７を操作しても行先階登録部２１に行先階が登録されず（Ｓ９）、そのままＳ８に進む。
【００３２】
したがってこの場合においても、乗りかご１内に住人Ａと他者が乗り合わせているが、乗りかご１のドア装置３が閉じたり、乗りかご１が運転されたりすることがなく、犯罪の発生を未然に防止することができる。
【００３３】
Ｓ６において、荷重センサ１２による検出荷重値と情報記憶部２３に登録されている住人Ａの体重に関する荷重値データとの比較照合が一定の誤差範囲内で一致していると判断されたとき、つまり他者の乗り込みがないと判断されたときには、行先階登録部２１における行先階登録が維持される（Ｓ１０）。そして一定時間（例えば２秒間）が経過したときに（Ｓ１１）、行先階登録部２１から運転制御部２５に運転指令の信号が送られ、この信号に基づき運転制御部２５による制御で乗りかご１のドア装置３が閉じ、乗りかご１が登録された行先階に向って移動する（Ｓ１２）。そして乗りかご１が行先階に到着した際に乗りかご１が停止し、ドア装置３が開き（Ｓ１３）、住人Ａが乗りかご１から降りる。
【００３４】
このように、この実施形態においても、乗りかご１に正当な住人が乗ったときにだけ、乗りかご１がその住人が指定した行先階に移動し、他者（不審者）が住人と共に乗り込んだときには乗りかご１が停止状態を維持し、ドア装置３も閉じず、したがって密室状態とならず、犯罪の発生を未然に防止することができる。
【００３５】
図６には第３の実施形態を示してある。この実施形態においては、乗りかご１内に監視カメラ４０が設置され、この監視カメラ４０を介してエレベータの管理センター（警備会社）において乗りかご１内の状況を視覚的に把握することができるようになっている。そして図３のフローチャートにおけるＳ３やＳ５、あるいは図５のフローチャートにおけるＳ４やＳ６において情報照合が不一致である判断されたときに、その信号が前記管理センターに送られようになっている。
【００３６】
したがって、この実施形態によれば、乗りかご１に住人Ａと他者（不審者）とが乗り合わせたような場合に、その情報が管理センターに通報され、この通報に基づいて管理センターの担当者が監視カメラ４０で乗りかご１内の状況を把握して他者（不審者）の行動を監視することができる。
【００３７】
なお、前記実施形態では、暗証情報入力手段として暗証番号方式を用いたが、指紋認証方式、顔認証方式、カードリーダー方式、キー操作方式などを採用することも可能である。
【図面の簡単な説明】
【００３８】
【図１】この発明の第１の実施形態に係る防犯システムを備えるエレベータの乗りかごの内部構造を示す斜視図。
【図２】その防犯システムの制御回路の構成を示すブロック図。
【図３】その防犯システムの動作の流れを示すフローチャート。
【図４】この発明の第２の実施形態に係る防犯システムの制御回路の構成を示すブロック図。
【図５】その防犯システムの動作の流れを示すフローチャート。
【図６】この発明の第３の実施形態に係る防犯システムを備えるエレベータの乗りかごの内部構造を示す斜視図。
【符号の説明】
【００３９】
１…乗りかご
２…出入口
３…ドア装置
３ａ…ドアパネル
６…操作盤
７…行先階ボタン
８…位置表示パネル
９…テンキーユニット
１２…荷重センサ
２０…エレベータ制御装置
２１…行先階登録部
２２…情報照合部
２３…情報記憶部
２４…荷重変動検出部
２５…運転制御部
４０…監視カメラ
【図１】
2009208900.tif 000003
【図２】
2009208900.tif 000004
【図３】
2009208900.tif 000005
【図４】
2009208900.tif 000006
【図５】
2009208900.tif 000007
【図６】
2009208900.tif 000008